(57)【特許請求の範囲】
【請求項１】
第１ユーザ機能の第１画面イメージを表示部に表示する段階と、
第２ユーザ機能を活性化するための入力信号を受信する段階と、
前記入力信号に対応して前記第２ユーザ機能の第２画面イメージを前記表示部に表示する段階と、を有し
前記第２画面イメージを前記表示部に表示する段階は、
前記第１画面イメージが出力された状態で、該第１画面イメージ全体を縮小した第１縮小画面イメージを予め設定された時間の間前記表示部に出力する段階と、
前記第１縮小画面イメージ、第２縮小画面イメージ、及び現在携帯端末機で実行されている全てのユーザ機能に対応する画面を縮小した画像イメージが順に並んだサムネイルイメージを有する作業ウィンドウを予め設定された時間の間前記表示部に出力する段階と、
前記第２画面イメージ全体を縮小した第２縮小画面イメージを予め設定された時間の間前記表示部に出力する段階と、
前記第２画面イメージを前記表示部に出力する段階と、を含むことを特徴とする携帯端末機の画面表示管理方法。
【請求項２】
前記第１縮小画面イメージを予め設定された時間の間前記表示部に出力する段階は、
前記表示部に前記第１縮小画面イメージの領域と、前記第１縮小画面イメージの領域を除いた一定サイズの背景領域とを前記表示部に出力する段階と、
前記第１縮小画面イメージの領域を前記表示部から除去するために、前記表示部の一側の端部方向に移動させる段階と、の内の少なくとも１つの段階を含み、
前記第２縮小画面イメージを予め設定された時間の間前記表示部に出力する段階は、
前記第２縮小画面イメージの領域を前記表示部の他側の端部方向から前記表示部の中央へ移動させて前記表示部に出力する段階と、
前記表示部の中央に配置された前記第２縮小画面イメージ領域と、前記第２縮小画面イメージ領域を除いた一定サイズの背景領域とを前記表示部に出力する段階と、
前記予め設定された時間の経過後に前記第２縮小画面イメージを前記表示部から除去する段階と、を含むことを特徴とする請求項１に記載の携帯端末機の画面表示管理方法。
【請求項３】
前記第２ユーザ機能を活性化するための入力信号を受信する段階は、
前記入力信号を入力するためにキーマップを出力する段階と、
前記キーマップで前記入力信号を発生するように設定されたタッチイベントを受信する段階と、
を含むことを特徴とする請求項１に記載の携帯端末機の画面表示管理方法。
【請求項４】
ユーザ機能の活性化に対応する画面イメージを出力する表示部と、
前記ユーザ機能の切り替えを要請する入力信号により、前記表示部に出力される画面イメージを変化させるように制御する制御部と、を含み、
前記表示部は、前記制御部の制御下で前記入力信号の受信により、
前記第１ユーザ機能に対応する第１画面イメージを出力した状態で、該第１画面イメージ全体を縮小した第１縮小画面イメージを予め設定された時間の間出力した後、該予め設定された時間の経過後に前記第１縮小画面イメージを除去し、
前記第１縮小画面イメージ及び前記ユーザ機能の切り替えにより切り替えられる第２ユーザ機能に対応する第２画面イメージ全体を縮小した第２縮小画面イメージ、並びに現在携帯端末機で実行されている全てのユーザ機能に対応する画面を縮小した画像イメージが順に並んだサムネイルイメージを有する作業ウィンドウを、予め設定された時間の間出力した後、該予め設定された時間の経過後に前記作業ウィンドウを除去し、
前記第２縮小画面イメージを予め設定された時間の間前記表示部に出力した後、前記予め設定された時間の経過後に前記第２縮小画面イメージを除去し、、
前記第２画面イメージを前記表示部に出力することを特徴とする携帯端末機。
【請求項５】
前記表示部は、
前記第１縮小画面イメージの領域と、前記第１縮小画面イメージの領域を除いた一定サイズの背景領域とを表示し、
予め設定された時間の経過後に、前記第１縮小画面イメージの領域を画面から除去するために画面の端部に移動させることを特徴とする請求項４に記載の携帯端末機。
【請求項６】
前記表示部は、
前記第２縮小画面イメージの領域を画面の端部から画面の中央部へ移動させ、
前記第２縮小画面イメージ領域と、前記第２縮小画面イメージ領域を除いた一定サイズの背景領域とを表示することを特徴とする請求項４に記載の携帯端末機。
【発明の詳細な説明】
【技術分野】
【０００１】
本発明は、携帯端末機に係り、より詳しくは、ユーザ機能のユーザインターフェースの切り替えのための携帯端末機の画面表示管理方法及び携帯端末機に関する。
【背景技術】
【０００２】
携帯端末機は、移動性をベースに多様なユーザ機能を支援する端末機であって、その利用の便利性及び携帯の容易性などにより非常に幅広い分野で利用されている。このような携帯端末機は、ユーザ機能を提供するために多様な入力方式を提供している。例えば、従来の携帯端末機は、携帯端末機の一側に機構的に配置されるキーパッド等を通じて、一定の文字や数字を入力できるようになっている。また、携帯端末機は、携帯性のためにその大きさが限定され得るが、このような小型の携帯端末機で適切な表示部の大きさを確保するために、キーパッドを除去して表示部にタッチパネルを配置するタッチスクリーンを備えている。
【０００３】
一方、従来の携帯端末機は、ユーザの入力により携帯端末機に設定されている多様なアプリケーションを活性化し、活性化したアプリケーションを支援するために、該当アプリケーションに対応する画面イメージを表示部に出力するように制御する。このような画面イメージ表示は、ユーザが現在どのアプリケーションを活性化しているかが判るようにし、画面イメージを介してユーザの所望する特定機能を適切に指示できるようにしている。
【０００４】
ところが、従来の画面イメージ表示は、ユーザが指示した特定機能に関する画面だけを提供するので、一つ以上の作業を行う場合の複数の画面イメージをユーザが適切に認識して運用できないという問題点がある。
【発明の概要】
【発明が解決しようとする課題】
【０００５】
本発明の目的は、少なくとも一つの作業遂行による画面イメージの提供において、画面イメージの切り替えの間に以前に表示部に出力されていた画面イメージと、ユーザが選択した作業に対応する画面イメージとを交替する段階において、画面イメージを直観的で且つ明示的に認識できるように表示することができる携帯端末機の画面表示管理方法及び携帯端末機を提供することにある。
【課題を解決するための手段】
【０００６】
上述した目的を達成するための本発明の実施形態に係る携帯端末機の画面表示管理方法は、第１ユーザ機能に対応する第１画面イメージを表示部に出力する段階と、第２ユーザ機能を活性化するための入力信号を受信する段階と、前記入力信号に対応して前記第２ユーザ機能の第２画面イメージを前記表示部に表示する段階と、を有し、前記第２画面イメージを前記表示部に表示する段階は、前記第１画面イメージを、前記第１画面イメージ全体を縮小した第１縮小画面イメージに変更して前記表示部に表示する段階と、前記第１縮小画面イメージを、前記第２画面イメージ全体を縮小した第２縮小画面イメージに変更して前記表示部に表示する段階と、前記第２縮小画面イメージを、前記第２ユーザ機能の第２画面イメージ全体が前記表示部に表示されるよう変更して表示する段階と、を含むことを特徴とする。
【０００７】
上述した目的を達成するための本発明の実施形態に係る携帯端末機は、ユーザ機能の活性化に対応する画面イメージを出力する表示部と、前記ユーザ機能の切り替えを要請する入力信号により、前記表示部に出力される画面イメージを変化させるように制御する制御部と、を含み、前記表示部は、前記制御部の制御下で前記入力信号の受信により、前記制御部の制御下で前記入力信号の受信により前記第１ユーザ機能に対応する第１画面イメージ全体を縮小した第１縮小画面イメージと、前記ユーザ機能の切り替えにより切り替えられる第２ユーザ機能に対応する第２画面イメージ全体を縮小した第２縮小画面イメージと少なくとも前記第１縮小画面イメージ、前記第２縮小画面イメージの順のサムネイルイメージを有する作業ウィンドウの内の少なくとも１つを出力することを特徴とする。
【発明の効果】
【０００８】
本発明の実施形態に係る携帯端末機の画面表示管理方法及び携帯端末機によれば、ユーザがアプリケーションの切り替えをするときに、作業している画面イメージに対して直観的で且つ明示的な表示を提供するので、より柔軟な作業選択及び切り替えを行うことができる。
【図面の簡単な説明】
【０００９】
【図１】本発明の実施形態に係る携帯端末機の画面表示管理方法を説明するためのフローチャートである。
【図２】図１のステップＳ１１５をより詳細に示したフローチャートである。
【図３】本発明の第１実施形態に係る画面表示管理方法を説明するための画面例示図である。
【図４】本発明の第２実施形態に係る画面表示管理方法を説明するための画面例示図である。である。
【図５】本発明の第３実施形態に係る画面表示管理方法を説明するための画面例示図である。
【図６】本発明の実施形態に係る携帯端末機の構成を示すブロック図である。
【発明を実施するための形態】
【００１０】
以下、添付した図面を参照して、本発明の実施形態を詳細に説明する。
下記の説明では、本発明の実施形態に係る動作を理解するのに必要な部分だけが説明され、それ以外の部分の説明は、本発明の要旨を不明瞭にしないように省略されることに留意すべきである。
以下で説明する本明細書及び請求範囲に使われる用語や単語は、通常的又は辞書的な意味として限定して解釈してはならず、発明者は自分の発明を最善の方法で説明するために、用語の概念によって適切に定義できるという原則に基づき、本発明の技術的思想に符合する意味及び概念として解釈されなければならない。したがって、本明細書に記載された実施形態及び図面に示された構成は、本発明の好ましい一実施形態に過ぎないもので、本発明の技術的思想を全て代弁するものではないため、本出願時点においてこれらを代替できる多様な均等物と変形例がある可能性があることを理解しなければならない。
【００１１】
図１は、本発明の実施形態に係る携帯端末機の画面表示管理方法を説明するためのフローチャートである。
【００１２】
図１を参照すると、本発明の画面表示管理方法は、携帯端末機に電源が供給されれば、供給された電源に基づいて携帯端末機の各構成を初期化し、初期化された状態が完了すれば、ステップＳ１０１で予め設定された待機画面を表示部に出力するように制御する。
この段階において携帯端末機は、端末機が予め設定された時間で使用されないことでスリープ（Ｓｌｅｅｐ）状態に遷移するが、活性化した場合には該当待機画面を表示部に出力するように制御することができる。
また、前記携帯端末機は、表示部が活性化された場合、ユーザの設定によりタッチパネルを活性化してユーザのタッチを認識できる準備を完了する。
【００１３】
次に、携帯端末機は、ステップＳ１０３でユーザが選択した第１ユーザ機能を活性化すれば、第１ユーザ機能の活性化による第１画面を表示部に表示するように制御する。例えば、フォンブック機能の活性化のために割り当てられたメニュー又はメニューアイコンをユーザが選択し、活性化のための入力信号を生成すれば、携帯端末機は、フォンブック機能支援のためのアプリケーションを活性化し、これにより、ユーザが予め格納するか、他の携帯端末機又はサーバから受信したフォンブックを表示部に出力するように制御する。
【００１４】
その後、携帯端末機は、ステップＳ１０５で作業ウィンドウの活性化のための入力信号が受信されたか否かを確認し、別途入力信号が発生しない場合には、ステップＳ１０３の前に戻り、ステップＳ１０３の第１画面表示を維持するように制御する。また、携帯端末機は、ステップＳ１０５でユーザが任意の入力信号を生成したが、生成された入力信号が作業選択の活性化のための入力信号ではない場合、ステップＳ１０６に進み、該当入力信号による機能遂行、例えば、携帯端末機の通話機能、メッセージ作成機能、Ｅメール作成機能、データ編集機能などを行うように制御する。
【００１５】
前記ステップＳ１０５でユーザが作業ウィンドウの活性化のための入力信号、例えば、作業ウィンドウの活性化のために、表示部の任意の領域に割り当てられたリンクイメージを選択するための設定されたタッチイベントを生成するか、又は、キーパッドなどの入力部を利用した作業ウィンドウの活性化のための入力信号を生成すれば、携帯端末機は、ステップＳ１０７で作業ウィンドウを画面に出力するように制御する。ここで、タッチイベントは、リンクイメージを２回タッチするか、長くクリックする等のタッチイベントを含む。作業ウィンドウは、ステップＳ１０３でユーザにより選択された第１画面イメージをそれぞれ設定された大きさに縮小させた、第１縮小画面イメージを出力した画面であってもよい。このようなステップＳ１０５及びステップＳ１０７は、ユーザが選択のための入力信号を生成しない場合には、フローチャートに従って行なわずにスキップ（Ｓｋｉｐ）してもよい。
【００１６】
携帯端末機のユーザは、ステップＳ１０３及びステップＳ１０７のいずれか一つのステップにおいて、ステップＳ１０９のように第２ユーザ機能を選択してもよい。すなわち、携帯端末機のユーザは、第１画面イメージが出力された表示部又は作業ウィンドウが出力された表示部で、メニューやホットキーなどを利用して第２ユーザ機能を選択してもよい。そうすると、携帯端末機は、ステップＳ１１１で第２ユーザ機能選択による機能活性化を行い、それに伴う第２画面イメージを表示部に出力するように制御することができる。
【００１７】
第２画面イメージの表示後、携帯端末機は、ステップＳ１１３で第１ユーザ機能選択のための入力信号が発生したか否かを確認する。もしステップ１１３で第１ユーザ機能選択のための入力信号を検知しなかった場合、携帯端末機は、ステップＳ１１１の前に戻り、ステップＳ１１１を維持するように制御する。あるいは、携帯端末機は、ステップ１１３で第２ユーザ機能の運用のための入力信号を検知した場合、該当入力信号による第２ユーザ機能を制御し、それに伴う第２画面イメージ出力を制御する。
【００１８】
前記ステップＳ１１３で第１ユーザ機能選択のための入力信号を検知すれば、携帯端末機は、ステップＳ１１５で予め設定された画面表示を行い、ステップＳ１１７に進みユーザが選択した第１ユーザ機能選択による第１画面イメージ表示を行うように制御する。ステップＳ１１５については図２〜図５を参照してより詳細に説明する。
【００１９】
図２は、図１のステップＳ１１５をより詳細に示したフローチャートである。
【００２０】
図２を参照すると、携帯端末機は、ステップＳ２０１で現在表示部に出力されている第２ユーザ機能活性化による第２画面イメージを、設定された条件により縮小された第２画面イメージに変換し、変換された第２縮小画面イメージを表示部に出力する。このとき、携帯端末機は、第２画面イメージに含まれた各イメージを一定割合で縮小することにより、第２縮小画面イメージを予め設定された時間の間表示部に出力するか、または、第２画面イメージに基づいて第２縮小画面イメージを生成し、第２画面イメージを第２縮小画面イメージに交替して予め設定された時間の間表示部に出力するように制御する。
【００２１】
その後、携帯端末機は、ステップＳ２０３で表示部に出力されている第２縮小画面イメージを、予め設定された時間が経過すれば、表示部から除去する。これと共に、携帯端末機は、ステップＳ２０５で作業ウィンドウを予め設定された時間の間表示部に出力するように制御する。その後、携帯端末機は、予め設定された時間が経過すれば、ステップＳ２０７で第１画面を一定のサイズに縮小した第１縮小画面イメージを、予め設定された時間の間表示部に出力するように制御する。また、予め設定された時間が経過すれば、携帯端末機は、ステップＳ１１７に進み第１画面イメージを表示部に出力するように制御する。
【００２２】
上述した説明において、予め設定する時間は、全て同一の時間、例えば、数ミリ秒（ｍｍ  ｓｅｃ）又は数秒（ｓｅｃ）であってもよく、この設定された時間は、設計者が固定するか又はユーザが任意的に変更してもよい。
【００２３】
一方、前記携帯端末機は、ステップＳ２０１、ステップＳ２０３、ステップＳ２０５及びステップＳ２０７を全部運用せずに、設計者の意図又はユーザの設定により、幾つかのステップのみを行ってもよい。例えば、携帯端末機は、ステップＳ２０５を行わず、ステップＳ２０１の第２画面イメージの出力状態において、ステップＳ２０３の第２縮小画面イメージの出力のすぐ後で、ステップＳ２０７の第１縮小画面イメージの出力状態を行ってもよい。また、携帯端末機は、ステップＳ２０３及びステップＳ２０７を行わず、ステップＳ２０１の第２画面イメージの出力状態において、ステップＳ２０５の作業ウィンドウの表示の後、ステップＳ１１７における第１画面イメージの出力を行ってもよい。
【００２４】
以上で説明したように、本実施形態に係る携帯端末機は、第１ユーザ機能の遂行による画面イメージの出力中に、第２ユーザ機能選択による画面イメージの切り替え段階で現在作業中の作業ウィンドウを出力することにより、作業に対する全般的な情報を直観的に提供することができる。
また、第１画面イメージと第２画面イメージをそれぞれ縮小された画面イメージとして提供することにより、携帯端末機は、ユーザが新しく選択するか又は切り替えたユーザ機能の前のユーザ機能を縮小された画面イメージでユーザに認識させ、全体画面イメージから縮小された画面イメージへの明示的な情報認識、又は、縮小された画面イメージから全体画面イメージへの明示的な情報認識をユーザに提供することができる。
【００２５】
ユーザの観点で見るとき、携帯端末機の表示部に提供されるイメージが瞬間的に全体画面イメージとして提供されずに、設定された条件による縮小されたイメージ形態で予め提供された後、全体画面イメージとして提供されたり、全体画面イメージから縮小されたイメージ形態に表示された後除去されたりすることにより、ユーザの視覚的な認識が全体画面イメージの変換による場合に比べて滑らかに作用するようになる。結果的に、ユーザは、作業の切り替えによるイメージ情報認識に対して明示的な情報収集を通じて、全体画面イメージへの情報認識を柔軟に行えるようになる。付加的に、ユーザは、全体画面イメージの変換により把握すべき情報、あるいは、記憶から消さなければならない情報に対して、縮小されたイメージ又は作業ウィンドウを介した予備段階を有するようになり、情報把握と理解の側面でより高い柔軟性を有することができる。
【００２６】
図３は、本発明の第１実施形態に係る携帯端末機の画面表示管理方法を説明するための画面例示図である。説明に先立ち、以下で携帯端末機は、メッセージ作成機能を活性化する直前にスケジュール機能を活性化し、それにより、スケジュール機能の活性化による画面イメージを管理していることと仮定する。
【００２７】
図３を参照すると、本発明の画面表示管理方法は、まず、携帯端末機のユーザがメニュー選択又はキー入力や、設定された入力信号生成によって第１ユーザ機能、例えば、メッセージ受信機能を選択する。例えば、携帯端末機のユーザは、特定作業の遂行中にメッセージが受信された場合、該当メッセージの受信を知らせるアイコンをクリックするか、表示部にメッセージ受信機能に該当するメニューアイコンを選択する。そうすると、携帯端末機は、ユーザが選択したメッセージ受信機能を活性化し、それにより、＜３１０＞画面のような第１画面イメージ１０１、すなわち、メッセージ受信ウィンドウを表示部に出力するように制御する。
【００２８】
その後、携帯端末機のユーザは、受信されたメッセージを確認している間、他の第２ユーザ機能、例えば、スケジュール機能を使用する必要が生じる場合がある。このとき、既にスケジュール機能に関連するユーザ機能が活性化され、スケジュール機能に関連する第２画面イメージ２０１が表示部に出力されてはいないが、バックグラウンドプロセシングやバッファリング等を介して存在すると仮定すれば、携帯端末機は、ユーザが入力する任意の入力信号に対応して、＜３５０＞画面のようなスケジュール機能に対応する第２画面イメージ２０１を出力することができる。
【００２９】
携帯端末機のユーザは、特定入力信号を生成することができる。例えば、ユーザは、作業を速く切り替えるために、携帯端末機が提供するホームキー（Ｈｏｍｅ  ｋｅｙ）を用いて特定入力信号を生成する。すなわち、ユーザは、ホームキーが割り当てられた表示部領域を２回タッチして「ホームキーのダブルクリック」に該当する入力信号を生成する。また、携帯端末機のユーザは、作業を速く切り替えるために、携帯端末機に設定された任意の入力信号、例えば、携帯端末機が動作センサを含む場合、予め設定された動作状態で携帯端末機を配置したり運動させたりすることにより、特定動作信号を生成する。また、携帯端末機のユーザは、作業を速く切り替えるためのホットキーが割り当てられている場合、ホットキーをクリックする動作を行うことができる。すなわち、ユーザは、作業を速く切り替えるために設定された一つの入力信号を生成するために、設定された条件による動作を行うことにより、作業を速く切り替えるための入力信号を生成することができる。
【００３０】
一方、携帯端末機は、＜３１０＞画面が出力された状態で作業を速く切り替えるための入力信号が発生すれば、＜３２０＞画面イメージ、＜３３０＞画面イメージ、＜３４０＞画面イメージを順に表示部に出力した後、＜３５０＞画面を表示部に出力するように制御する。
【００３１】
これをより詳細に説明すれば、携帯端末機は、＜３１０＞画面が出力された状態で作業を速く切り替えるための入力信号が発生すれば、現在表示部に出力されている第１画面イメージ１０１を設定された条件により縮小させ、＜３２０＞画面のように第１縮小画面イメージ１０３を生成する。このとき、携帯端末機は、第１画面イメージ１０１が出力された状態で、第１画面イメージ１０１を一定割合で縮小し、第１縮小画面イメージ１０３を表示部に出力する。また、携帯端末機は、別途作業、例えば、バックグラウンドプロセシングによって第１縮小画面イメージ１０３を生成し、表示部から第１画面イメージ１０１を除去した後、第１縮小画面イメージ１０３を出力することができる。
第１画面イメージ１０１が出力された状態で、第１縮小画面イメージ１０３が出力されることによって、ユーザは、第１画面イメージ１０１が第１縮小画面イメージ１０３へズームアウトされる効果と認識することができる。また、＜３２０＞画面で携帯端末機は、表示部全体を占める第１画面イメージ１０１を一定サイズの露出した背景及び第１縮小画面イメージ１０３を含む画面に変更して表示するようになる。
【００３２】
ここで、携帯端末機は、第１縮小画面イメージ１０３を予め設定された時間、例えば、数ミリ秒の間に出力状態を維持し、設定された時間が経過すれば、＜３３０＞画面のように作業ウィンドウを出力するように制御することができる。作業ウィンドウは、現在携帯端末機で実行されている全てのユーザ機能に対応する画面を一定サイズに変換したイメージを出力する画面である。携帯端末機のユーザは、作業ウィンドウを介して現在どのアプリケーションが行われているかを判断することができる。作業ウィンドウに出力される各ユーザ機能に対応するイメージは、第１縮小画面イメージ１０３よりも小さい大きさのサムネイルイメージで出力され、サムネイルイメージは活性化しているユーザ機能の個数によってその大きさが変わり得る。すなわち、携帯端末機は、ユーザ機能の個数により、画面分割の個数及び分割された領域の大きさを調整して出力する。例えば、携帯端末機は、２つのユーザ機能が活性化されていれば、画面を２つの領域に分割し、各ユーザ機能に対応するイメージをリサイジングしたイメージに変換した後、２つの領域にそれぞれ出力するように制御する。また、携帯端末機は、＜３３０＞画面のように、作業ウィンドウを画面分割して分割された領域の個数を固定させ、現在活性化されているユーザ機能の個数に関係なく、リサイジングされたイメージを分割領域にそれぞれ出力するように構成される。このとき、例えば、作業ウィンドウが４つの分割領域を有していれば、２つのユーザ機能の活性化により２つのリサイジングされたイメージを出力し、残り２つの領域は、空いている領域状態に対応するイメージを出力するように構成される。
【００３３】
一方、ステップ３２０からステップ３３０に切り替える過程で、＜３２０＞画面に出力された第１縮小画面イメージ１０３は、表示部の中央から左側または右側などの特定端部方向に移動して表示部から除去され、その後、＜３３０＞画面が表示部の全体に出力される。また、＜３２０＞画面に出力された第１縮小画面イメージ１０３が特定方向に移動して表示部から除去される間、＜３３０＞画面に出力される作業ウィンドウが第１縮小画面イメージ１０３の大きさに縮小された第１縮小作業ウィンドウが生成され、第１縮小作業ウィンドウは、第１縮小画面イメージ１０３が移動する方向と同一方向を有し、表示部に登場する。また、第１縮小作業ウィンドウは、第１縮小画面イメージ１０３が表示部の中央に位置した後、一定時間の経過後に＜３３０＞画面のように全体画面に出力される。
【００３４】
＜３３０＞画面に出力される作業ウィンドウは、予め設定された時間が経過すれば、表示部から除去される。また、携帯端末機は、第２ユーザ機能、すなわち、スケジュール機能に対応する第２画面イメージ２０１の縮小された形態である第２縮小画面イメージ２０３を、＜３４０＞画面のように表示部の一定領域に出力するように制御する。これにより、携帯端末機は、＜３４０＞画面で一定サイズの露出した背景及び第２縮小画面イメージ２０３を表示部に出力するようになる。このとき、第２縮小画面イメージ２０３は、表示部の一側の端部から表示部の中央へ移動しながら登場することにより、表示部に出力されるか、又は、表示部の中央領域で徐々に面積を拡大して設定された大きさの面積まで拡大することにより、表示部に出力される。
【００３５】
携帯端末機は、＜３４０＞画面で第２縮小画面イメージ２０３を出力する段階を、＜３３０＞画面で出力される作業ウィンドウ３０１を出力する段階と連係して行うことができる。すなわち、携帯端末機は、＜３３０＞画面に出力される作業ウィンドウに対して、第２縮小画面イメージ２０３と大きさが類似した縮小作業ウィンドウを生成し、縮小作業ウィンドウを表示部の一定方向に移動させながら表示部から除去し、縮小作業ウィンドウが除去される方向に第２縮小画面イメージ２０３を移動させ、表示部に出力するように制御する。この段階で生成される縮小作業ウィンドウを、＜３２０＞画面から＜３３０＞画面に切り替える段階で生成される縮小作業ウィンドウと同一にすることができる。
【００３６】
また、＜３４０＞画面で携帯端末機は、予め設定された時間が経過すれば、＜３５０＞画面のように第２画面イメージ２０１を表示部の全体に出力するように制御する。ここで、一定サイズの背景及び第２縮小画面イメージ２０３が出力された状態で、第２画面イメージ２０１が出力されれば、ユーザは、第２縮小画面イメージ２０３がズームインされて出力されたことを認識することができる。
【００３７】
以上で説明したように、本発明の第１実施形態に係る携帯端末機は、表示部に出力される画面イメージの縮小されたイメージを作業の切り替えの間に出力するようにし、また、現在実行されている全てのユーザ機能に対応する作業ウィンドウを出力させることにより、ユーザが作業全体を洞察することができる情報把握と、作業間に切り替えられる画面イメージからの情報把握をより柔軟に行えるように支援する。
【００３８】
図４は、本発明の第２実施形態に係る携帯端末機の画面表示方法を説明するための画面例示図である。
【００３９】
図４を参照すると、本発明の画面表示管理方法は、まず、携帯端末機のユーザがメニュー選択又はキー入力や、設定された入力信号生成によって第１ユーザ機能、例えば、メッセージ受信機能を選択する。例えば、携帯端末機のユーザは、特定作業の遂行中にメッセージが受信された場合、該当メッセージの受信を知らせるアイコンをクリックするか、表示部にメッセージ受信機能に該当するメニューアイコンを選択する。そうすると、携帯端末機は、ユーザが選択したメッセージ受信機能を活性化し、それにより、＜３１０＞画面のような第１画面イメージ１０１、すなわち、メッセージ受信ウィンドウを表示部に出力するように制御する。
【００４０】
その後、携帯端末機のユーザは、受信されたメッセージを確認している間、他の第２ユーザ機能、例えば、スケジュール機能を使用する必要が生じる場合がある。このとき、既にスケジュール機能に関連するユーザ機能が活性化され、スケジュール機能に関連する第２画面イメージ２０１が表示部に出力されてはいないが、バックグラウンドプロセシングやバッファリング等を介して存在すると仮定すれば、携帯端末機は、ユーザが入力する任意の入力信号に対応して、＜３５０＞画面のようなスケジュール機能に対応する第２画面イメージ２０１を出力することができる。
【００４１】
このために、携帯端末機のユーザは、特定入力信号を生成することができる。例えば、ユーザは、作業を速く切り替えるために、携帯端末機が提供するホームキーを用いて特定入力信号を生成する。すなわち、ユーザは、ホームキーが割り当てられた表示部領域を２回タッチして「ホームキーのダブルクリック」に該当する入力信号を生成する。また、携帯端末機のユーザは、作業を速く切り替えるために、携帯端末機に設定された任意の入力信号、例えば、携帯端末機が動作センサを含む場合、予め設定された動作状態で携帯端末機を配置したり運動させたりすることにより、特定動作信号を生成する。また、携帯端末機のユーザは、作業を速く切り替えるためのホットキーが割り当てられている場合、ホットキーをクリックする動作を行うことができる。すなわち、ユーザは、作業を速く切り替えるために設定された一つの入力信号を生成するために設定された条件による動作を行うことにより、作業を速く切り替えるための入力信号を生成することができる。
【００４２】
一方、携帯端末機は、＜３１０＞画面が出力された状態で作業を速く切り替えるための入力信号が発生すれば、＜３２０＞画面イメージ、＜３４０＞画面イメージを順次に予め設定された時間の間に表示部に出力した後、＜３５０＞画面を表示部に出力するように制御する。
【００４３】
これをより詳細に説明すれば、携帯端末機は、＜３１０＞画面が出力された状態で作業を速く切り替えるための入力信号が発生すれば、現在表示部に出力されている第１画面イメージ１０１を設定された条件により縮小させ、＜３２０＞画面のように第１縮小画面イメージ１０３を生成する。これにより、携帯端末機は、表示部の全体を占める第１画面イメージ１０１を、＜３２０＞画面に示すような一定大きさの露出した背景及び第１縮小画面イメージ１０３を含む画面に変更して表示する。
【００４４】
一方、＜３２０＞画面から＜３４０＞画面に切り替える段階で、＜３２０＞画面に出力された第１縮小画面イメージ１０３は、特定方向、例えば、左側に移動して表示部から除去される。この段階で携帯端末機は、第２ユーザ機能、すなわち、スケジュール機能に対応する第２画面イメージ２０１の縮小された形態である第２縮小画面イメージ２０３を、＜３４０＞画面のように表示部の一定領域に出力するように制御することができる。このとき、第２縮小画面イメージ２０３は、表示部の一側の端部から中央へ移動しながら登場することにより、表示部に出力される。そうすると、携帯端末機は、＜３２０＞画面及び＜３４０＞画面でそれぞれ第１縮小画面イメージ１０３が一定方向に移動して除去されれば、第２縮小画面イメージ２０３が一定方向に移動して、表示部に出力される。一方、第２縮小画面イメージ２０３は、第１縮小画面イメージ１０３が表示部から除去された後、表示部の中央領域から徐々に面積を拡大し、一定サイズの背景を残す設定された大きさの面積まで拡大して表示される。これにより、携帯端末機は、＜３４０＞画面で一定サイズの露出した背景及び第２縮小画面イメージ２０３を表示部に出力する。
【００４５】
また、＜３４０＞画面で携帯端末機は、予め設定された時間が経過すれば、＜３５０＞画面のように第２画面イメージ２０１を表示部の全体に出力するように制御する。ここで、一定サイズの背景及び第２縮小画面イメージ２０３が出力された状態で、第２画面イメージ２０１が出力されれば、ユーザは、第２縮小画面イメージ２０３がズームインされて出力されたと認識することができる。
【００４６】
以上で説明したように、本発明の第２実施形態に係る携帯端末機は、表示部に出力される画面イメージの縮小されたイメージを作業切り替えの間に出力するようにして、作業間に切り替えられる画面イメージからの情報把握をより柔軟に行えるように支援する。
【００４７】
図５は、本発明の第３実施形態に係る携帯端末機の画面表示方法を説明するための画面例示図である。
【００４８】
図５を参照すると、本発明の画面表示管理方法は、まず、携帯端末機のユーザがメニュー選択又はキー入力や、設定された入力信号生成によって第１ユーザ機能、例えば、メッセージ受信機能を選択する。例えば、携帯端末機のユーザは、特定作業の遂行中にメッセージが受信された場合、該当メッセージの受信を知らせるアイコンをクリックするか、表示部にメッセージ受信機能に該当するメニューアイコンを選択する。そうすると、携帯端末機は、ユーザが選択したメッセージ受信機能を活性化し、それにより、＜３１０＞画面のような第１画面イメージ１０１、すなわち、メッセージ受信ウィンドウを表示部に出力するように制御する。
【００４９】
その後、携帯端末機のユーザは、受信されたメッセージを確認している間に、他の第２ユーザ機能、例えば、スケジュール機能を使用する必要が生じる場合がある。このとき、既にスケジュール機能に関連するユーザ機能が活性化され、スケジュール機能に関連する第２画面イメージ２０１が表示部に出力されてはいないが、バックグラウンドプロセシングやバッファリング等を介して存在すると仮定すれば、携帯端末機は、ユーザが入力する任意の入力信号に対応して、＜３５０＞画面のようなスケジュール機能に対応する第２画面イメージ２０１を出力することができる。
【００５０】
このために、携帯端末機のユーザは、特定入力信号を生成することができる。例えば、ユーザは、作業を速く切り替えるために、携帯端末機が提供するホームキーを用いて特定入力信号を生成する。すなわち、ユーザは、ホームキーが割り当てられた表示部領域を２回タッチして「ホームキーのダブルクリック」に該当する入力信号を生成する。また、携帯端末機のユーザは、作業を速く切り替えるために、携帯端末機に設定された任意の入力信号、例えば、携帯端末機が動作センサを含む場合、予め設定された動作状態で携帯端末機を配置したり運動させたりすることにより、特定動作信号を生成する。また、携帯端末機のユーザは、作業を速く切り替えるためのホットキーが割り当てられている場合、ホットキーをクリックする動作を行うことができる。すなわち、ユーザは、作業を速く切り替えるために設定された一つの設定された条件による動作を行うことにより作業を速く切り替えるための入力信号を生成することができる。
【００５１】
一方、携帯端末機は、＜３１０＞画面が出力された状態で作業を速く切り替えるための入力信号が発生すれば、＜３１０＞画面イメージに置き換えて、＜３３０＞画面イメージを表示部に出力するように制御する。
【００５２】
これをより詳細に説明すれば、携帯端末機は、＜３１０＞画面が出力された状態で作業を速く切り替えるための入力信号が発生すれば、現在表示部に出力されている第１画面イメージ１０１を表示部から除去する。また、携帯端末機は、＜３３０＞画面のように作業ウィンドウを予め設定された時間の間出力する。作業ウィンドウは、現在携帯端末機で実行されている全てのユーザ機能に対応する画面を一定サイズに変換したサムネイルイメージのうちいずれか一つを出力する画面である。携帯端末機のユーザは、作業ウィンドウを介して現在どのアプリケーションが行われているかを判断することができる。作業ウィンドウに出力される各ユーザ機能に対応するサムネイルイメージは、上述した第１縮小画面イメージよりも小さい大きさに出力され、活性化しているユーザ機能の個数によってその大きさが変わり得る。すなわち、携帯端末機は、ユーザ機能の個数により画面分割の個数および分割された領域の大きさを調整して出力することができる。例えば、携帯端末機は、２つのユーザ機能が活性化していれば、画面を２つの領域に分割し、各ユーザ機能に対応するイメージをリサイジングしたサムネイルイメージに変換した後、２つの領域にそれぞれ出力するように制御してもよい。また、携帯端末機は、＜３３０＞画面のように作業ウィンドウを画面分割して分割された領域の個数を固定させ、現在活性化されているユーザ機能の個数に関係なく、リサイジングされたサムネイルイメージを分割領域にそれぞれ出力するように構成してもよい。このとき、例えば、作業ウィンドウは、４つの分割領域を有してもよく、２つのユーザ機能活性化により２つのリサイジングされたサムネイルイメージを出力し、残り２つの領域は、空いている領域状態に対応するイメージを出力するように構成してもよい。
【００５３】
＜３３０＞画面に出力される作業ウィンドウ３０１は、予め設定された時間が経過すれば、表示部から除去される。また、携帯端末機は、第２ユーザ機能、すなわち、スケジュール機能に対応する第２画面イメージ２０１を表示部に出力するように制御する。
【００５４】
以上では、本発明のいくつかの実施形態に係る画面表示管理方法について、携帯端末機の典型的な画面イメージを参照して説明した。以下では、本発明の実施形態に係る画面表示管理方法を支援するための携帯端末機の各構成について概括的に説明する。
【００５５】
図６は、本発明の実施形態に係る携帯端末機の構成を概略的に示すブロック図である。
【００５６】
図６を参照すると、本実施形態の携帯端末機は、無線周波数部１１０、入力部１２０、オーディオ処理部１３０、タッチスクリーン１４０、格納部１５０、及び制御部１６０から構成される。
【００５７】
このような構成を有する携帯端末機は、格納部に格納されたユーザ機能に対応するアプリケーションをユーザの要請により活性化する。このとき、ユーザ機能の活性化により表示部に出力される画面イメージを、ユーザ機能の切り替えに応じて変更する段階において、表示部に出力される画面イメージを予め設定された大きさの縮小画面イメージに変換し、表示部から全体画面イメージを除去する段階で縮小された画面イメージに変更して表示部に出力し、その後、縮小された画面イメージを表示部から除去するように制御する。また、携帯端末機は、表示部に出力する画面イメージに対応する縮小された画面イメージを、まず、表示部の一定領域に出力した後、全体の画面イメージを出力するように制御する。また、携帯端末機は、画面イメージの変更段階で、現在実行されている全体ユーザ機能に対応するイメージを一定サイズにリサイジングし、リサイジングされたイメージのうち少なくとも一つ又は複数を含む作業ウィンドウを出力するように制御する。以下では、本発明の携帯端末機の各構成についてより詳細に説明する。
【００５８】
無線周波数部１１０は、音声通話のための通信チャネルの形成及び映像などのデータ送信のための通信チャネル等を制御部１６０の制御下で行う。すなわち、無線周波数部１１０は、音声通話チャネル、データ通信チャネル、及び画像通話チャネルを移動通信システムの間に形成する。これのために無線周波数部１１０は、送信される信号の周波数を上昇変換及び増幅する無線周波数の送信部と、受信される信号を低雑音増幅して周波数を下降変換する無線周波数の受信部とを含んでもよい。このような無線周波数部１１０は、タッチパネル１４３が生成するタッチイベントにより、制御部１６０の制御下で選択される。特に、本発明の実施形態において、無線周波数部１１０は、ユーザ機能に必要な画面、例えば、フォンブック画面、メッセージ作成画面、Ｅメール作成画面、通話ログ画面、メッセンジャー機能支援画面を出力するとき、制御部の制御により活性化される。
【００５９】
入力部１２０は、数字又は文字情報の入力を受けて、各種機能を設定するための複数の入力キー及びファンクションキーを含む。ファンクションキーは、特定機能を行うように設定された方向キー、サイドキー及びショートカットキーなどを含んでもよい。また、入力部１２０は、ユーザ設定及び携帯端末機の機能制御に関連したキー信号を生成し、制御部１６０に伝達する。このような入力部１２０は、複数のキーを含むＱｗｅｒｔｙキーパッド、３×４キーパッド、４×３キーパッド等を備えることができる。このような入力部１２０は、携帯端末機のタッチスクリーン１４０がフルタッチスクリーン形態で支援される場合には省略され、タッチスクリーン１４０に代替される。特に、入力部１２０は、複数のユーザ機能が活性化している状態で、ユーザ機能間に作業を速く切り替えるための入力信号をユーザの入力により生成し、これを制御部１６０に伝達する。また、入力部１２０は、少なくとも一つの加速度センサ、傾斜センサ、ジャイロセンサ、圧力センサ、近接センサなどを含み、各センサが感知する携帯端末機の動作状態により動作信号を生成して制御部１６０に伝達する。このとき、動作信号のうち特定動作信号は、作業を速く切り替えるための入力信号として採択される。
【００６０】
オーディオ処理部１３０は、通話時に送受信されるオーディオデータを再生するためのスピーカ（ＳＰＫ）と、通話時にユーザの音声またはその他オーディオ信号を収集するためのマイク（ＭＩＣ）とを含む。このようなオーディオ処理部１３０は、上述の画面インターフェースで各画面イメージが変更される間、それに対応するオーディオ信号を出力することができる。例えば、オーディオ処理部１３０は、画面イメージが表示部の全体に出力される状態で、画面イメージを表示部１４１から除去し、画面イメージの大きさが一定サイズに縮小された縮小画面イメージを出力する間、それに対応する音響効果を支援することができる。また、オーディオ処理部１３０は、縮小された画面イメージを表示部に一定領域の背景と共に出力された状態で、表示部の全体に出力される画面イメージに変更される間、それに対応する音響効果を支援することができる。また、オーディオ処理部１３０は、作業ウィンドウが表示部に出力される時、それに伴う特定音響効果を提供することも可能である。
【００６１】
タッチスクリーン１４０は、表示部１４１とタッチパネル１４３を含む。このようなタッチスクリーン１４０は、表示部１４１の前面にタッチパネル１４３が配置される構造を有してもよい。タッチスクリーン１４０の大きさは、タッチパネル１４３の大きさにより決定される。
【００６２】
表示部１４１は、携帯端末機の各種メニューをはじめとし、ユーザが入力した情報又はユーザに提供する情報を表示する。すなわち、表示部１４１は、携帯端末機の利用による多様な画面、例えば、待機画面、メニュー画面、メッセージ作成画面、通話画面などを提供する。特に、表示部１４１は、ユーザ機能に対応して表示部の全体に出力される画面イメージ、画面イメージが一定割合で縮小された縮小画面イメージ、少なくとも一つのユーザ機能の活性化により生成されたイメージをリサイジングして生成した少なくとも一つのサムネイルイメージを、一つの画面に出力する作業ウィンドウをそれぞれ出力する。また、表示部１４１は、制御部の制御により画面イメージが除去されて縮小画面イメージが出力される状態、縮小画面イメージが除去されて画面イメージが出力される状態に対応する画面イメージの変換を示すことができる。また、表示部１４１は、縮小画面イメージが除去され、縮小画面イメージが出力される間に作業ウィンドウを出力することができる。このような表示部１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）等で形成される。このような表示部１４１は、タッチパネル１４３の大きさに比べて小さいサイズを有し、タッチパネル１４３の下部に配置される。
【００６３】
タッチパネル１４３は、表示部１４１を覆うように配置され、物体の接触または物体のアクセス距離によってタッチイベントを生成し、生成されたタッチイベントを制御部１６０に伝達する。このとき、タッチパネル１４３は、マトリックス形態で配列され、タッチパネル１４３上で発生するタッチイベントに対して該当位置情報と、タッチイベントの種類に関する情報とを制御部１６０に伝達する。このようなタッチイベントの種類は、タッチパネルに物体を接触することで発生するタッチダウンイベント、物体の接触を解除することで発生するタッチアップイベント、タッチダウン状態で一定方向に接触を移動させることで発生するタッチムーブまたはタッチドラッグイベント、一定方向に加速度を有し接触を移動させることで発生するフリックイベントなどを含んでもよい。制御部１６０は、タッチパネル１４３から伝達されるタッチイベントにより位置情報及びタッチイベントの種類を確認し、該当位置にマッピングされた表示部の特定イメージを確認した後、イメージにリンクされているユーザ機能を活性化するように制御する。
【００６４】
格納部１５０は、本発明の実施形態に係る機能動作に必要なアプリケーションをはじめとし、携帯端末機がタッチスクリーンで形成される場合、タッチスクリーンの運用のためのキーマップやメニューマップ等を格納することができる。ここでキーマップ及びメニューマップは、それぞれ多様な形態であってもよい。すなわち、キーマップはキーボードマップや、３×４キーマップ、Ｑｗｅｒｔｙキーマップ等であってもよく、現在活性化されているアプリケーションの運用制御のための制御キーマップであってもよい。また、メニューマップは、現在活性化されているアプリケーションの運用制御のためのメニューマップであってもよく、携帯端末機が提供する多様なメニューを項目に有するメニューマップであってもよい。このような格納部１５０は、大きくプログラム領域とデータ領域とを含んでもよい。
【００６５】
前記プログラム領域は、携帯端末機の起動および上述した各構成の運用のためのオペレーティングシステム（ＯＳ、Ｏｐｅｒａｔｉｎｇ  Ｓｙｓｔｅｍ）、多様なファイルを再生するためのアプリケーション、例えば、携帯端末機の機能支援有無による通話機能支援のためのアプリケーション、インターネットサーバに接続するためのウェブブラウザー、その他音源を再生するためのＭＰ３アプリケーション、写真などを再生するためのイメージ出力アプリケーション、動画再生アプリケーション等を格納してもよい。特に、プログラム領域は、タッチ機能支援のためのタッチ運用プログラムを含み、タッチ運用プログラムは、作業を速く切り替えるためにタッチイベントを受信するとき、これを制御部１６０に伝達する。また、プログラム領域は、作業ウィンドウ支援のためのタスク（Ｔａｓｋ）管理制御ルーチンを含む。タスク管理制御ルーチンは、ユーザ機能の内現在活性化されているユーザ機能に対する画面を予め設定された大きさのイメージにリサイジングし、リサイジングされた各画面を作業ウィンドウの一定領域に配列するルーチンである。また、タスク管理制御ルーチンは、作業ウィンドウ要請のための入力信号、例えば、作業を速く切り替えるための入力信号の発生時、作業ウィンドウを既設定された時間の間に表示部に出力するように制御してもよい。また、プログラム領域は、本発明の実施形態に係るイメージ処理ルーチンを含んでもよい。イメージ処理ルーチンは、上で説明した通り、作業を速く切り替えるための入力信号が発生すれば、現在表示部に出力されている画面イメージを表示部から除去するルーチン、画面イメージの大きさを縮小された画面イメージに変換して出力するルーチン、出力された縮小画面イメージを表示部から除去するルーチン、切り替えられた作業に該当する画面イメージに対応する縮小画面イメージを変換して出力するルーチン、前記切り替えられた作業に該当する画面イメージを表示部に出力するルーチンなどを含んでもよい。イメージ処理ルーチンは、タスク管理制御ルーチンと連係して縮小画面イメージの出力と除去との間で、作業ウィンドウを出力するように制御する。
【００６６】
データ領域は、携帯端末機の使用により発生するデータが格納される領域であって、フォンブック情報、ウィジェット機能による少なくとも一つのアイコン及び多様なコンテンツを格納することができる。また、データ領域は、表示部１４０がタッチスクリーンで実現される場合、タッチスクリーンを通じて入力されるユーザ入力を格納することができる。特に、本実施形態のデータ領域は、画面イメージ、縮小画面イメージ、作業ウィンドウに対応するイメージ、縮小作業ウィンドウに対応するイメージなど、ユーザ機能画面を格納し、これを制御部１６０の制御下で表示部１４１に出力することができる。
【００６７】
制御部１６０は、携帯端末機の各構成に電源供給を制御して初期化段階を行うように支援し、初期化段階が完了すれば、各構成に対して本発明の速いユーザ機能提供のための信号流れ等を制御することができる。このような制御部１６０は、前述の画面インターフェースを提供するために、プログラム領域に格納されたイメージ処理ルーチン、タスク管理制御ルーチンなどにより、それぞれイメージ変換を行うように制御する。
【００６８】
上述した本発明の方法は、ハードウェアやコンピュータコード、ソフトウェアなどで実現されることができ、コードやソフトウェアなどはＣＤ−ＲＯＭ、ＲＡＭ、サムネイルドライブ、フロッピー（登録商標）ディスク、フラッシュストレージ、ハードディスク、磁気光ディスク、ダウンロードされるネットワークに格納され、上で説明した媒体のうち一つに永久的または半永久的に格納され、常用コンピュータに使われるソフトウェアを利用したり、ＡＳＩＣやＦＰＧＡなどのハードウェアに割り当てられたり、プログラミングされたり、特定プロセッサによって実行される。ここで、コンピュータは、プロセッサやプログラムされたハードウェアとしてＲＡＭ、ＲＯＭ、フラッシュなどのメモリ構成を含んでもよく、アクセス過程でコンピュータコードやソフトウェアの受信及び格納が可能であり、上述した方法処理を実現したハードウェアやプロセッサ、コンピュータによって実行される。また、常用コンピュータが上述した方法を実現するためのコードにアクセスする時、実行コードが常用コンピュータに実行処理のための特定目的コンピュータに送信される。
【００６９】
以上、本発明を幾つかの好ましい実施形態を用いて説明したが、これら実施形態は、例示的なものであり、限定的なものではない。このように、本発明が属する技術分野で通常の知識を有する者であれば、本発明の思想と添付された特許請求の範囲に提示された権利範囲から外れずに、均等論により多様な変化及び修正を加えることができることを理解するだろう。例えば、本発明の明細書上に記載されたユーザタッチは、接触可能な他のタイプ、例えば、スタイラス、マウスのようなポインティン装置の使用などによるもので、応用可能である。また、本発明は、パーソナルコンピュータや、ノートブック型コンピュータ、タブレットコンピュータ、ラップトップコンピュータ、ＰＤＡなどの端末機にも適用可能である。
【図１】
0005730289.tif 000002
【図２】
0005730289.tif 000003
【図３】
0005730289.tif 000004
【図４】
0005730289.tif 000005
【図５】
0005730289.tif 000006
【図６】
0005730289.tif 000007